(57)【要約】【課題】表示装置で表示される投票した競技場のレースの見逃しを防止する。【解決手段】公営競技に関して表示装置１０が表示する競技場で実施されるレースの映像を切り替える表示切替制御装置３０では、読み取り部３２が競技場ごとに実施されるレースに対して行われた投票に関する投票情報を投票券Ｃから読み取り、スケジュール生成部３４が読み取った投票情報に基づき、投票した競技場ごとに実施されるレースにレースの発走時刻をそれぞれ対応させてスケジュール３１ａを生成し、表示切替実行部３５がスケジュール３１ａを参照し、表示装置１０の表示を、現在時刻と一致した発走時刻に対応する競技場で実施されるレースの映像に切り替えさせるようにした。【選択図】図１
2014092812.tif 000002
【特許請求の範囲】
【請求項１】
公営競技に関して表示装置が表示する競技場で実施されるレースの映像を切り替える表示切替制御装置において、
競技場ごとに実施されるレースに対して行われた投票に関する投票情報を投票券から読み取る読み取り部と、
読み取った前記投票情報に基づき、投票した前記競技場ごとに実施されるレースに前記レースの発走時刻をそれぞれ対応させてスケジュールを生成するスケジュール生成部と、
前記スケジュールを参照し、前記表示装置の表示を、現在時刻と一致する発走時刻に対応する前記競技場で実施される前記レースの映像に切り替えさせる表示切替実行部と、
を有することを特徴とする表示切替制御装置。
【請求項２】
前記スケジュール生成部は、前記発走時刻に基づいて、異なる競技場でレースが重複して実施されるか否かを判定する、
ことを特徴とする請求項１記載の表示切替制御装置。
【請求項３】
異なる競技場でレースが重複して実施される場合に、前記表示切替実行部は、前記重複するレースごとの最大配当金の金額に応じて、重複するいずれかの前記レースの映像に前記表示装置の表示を切り替えさせる、
ことを特徴とする請求項２記載の表示切替制御装置。
【請求項４】
前記表示切替実行部は、前記最大配当金が多い方の、前記競技場の前記レースの映像に前記表示装置の表示を切り替えさせる、
ことを特徴とする請求項３記載の表示切替制御装置。
【請求項５】
前記表示切替実行部は、前記最大配当金が少ない方の、前記競技場の前記レースの映像を、前記表示装置が表示する映像を録画する録画装置に録画させる、
ことを特徴とする請求項３記載の表示切替制御装置。
【請求項６】
公営競技に関して表示装置が表示する競技場で実施されるレースの映像を切り替える表示切替制御方法において、
競技場ごとに実施されるレースに対して行われた投票に関する投票情報を投票券から読み取り、
読み取った前記投票情報に基づき、投票した前記競技場ごとに実施されるレースに前記レースの発走時刻をそれぞれ対応させてスケジュールを生成し、
前記スケジュールに基づき、現在時刻が発走時刻となった、前記競技場で実施される前記レースの映像に前記表示装置の表示を切り替えさせる、
ことを特徴とする表示切替制御方法。
【発明の詳細な説明】
【技術分野】
【０００１】
本発明は、表示切替制御装置及び表示切替制御方法に関する。
【背景技術】
【０００２】
競馬、競艇、競輪及びオートレース等の公営競技において、各競技場（レース場）における全レースの出走内容（競馬であれば、騎手、馬、レーススタイル等）、発走時刻、競技結果等を管理するホストコンピュータが用意されている。
【０００３】
ファン（投票者）は、ある競技場にて、例えば、所望のレースに対する投票情報（投票対象レースの番号、投票方法の種類（式別）、購入金額等）を書き込んだ投票用紙を購入金額と共に、当該ホストコンピュータに通信可能に接続された投票端末に投入する。投票端末は投入された投票用紙に記載された投票情報をホストコンピュータに登録すると共に、投票内容を印字した投票券を発券する（例えば、特許文献１参照）。このようにして投票者は所望の投票に関する投票券を購入することができる。また、投票者は、他の競技場において、例えば、競馬であれば、Ａ競馬場にいながら、Ｃ競馬場、Ｅ競馬場で実施されるレースに対しても、同様にして、投票券を購入することができる。
【０００４】
ところで、公営競技の競技場である、例えば、競馬場では、特別観覧席（いわゆる、特観席）がスタンドに設けられている。一人乃至団体の投票者は、特観席から競馬場全体を見渡せて、当該競馬場で実施されるレースのゴール寸前の競走馬の競走を間近で観覧することができる。このような特観席に投票端末を設置することで、投票者は投票券購入のための移動が発生せずに、引き続き、レースを楽しみながら新たな投票を行うことができる（例えば、特許文献２参照）。また、特観席には、モニタ（表示装置）が設置されており、他の競馬場でのレースの様子が当該モニタにより表示される。他の競馬場で実施されるレースに投票した投票者は、このモニタから、投票したレースを観覧し、レース結果をリアルタイムに確認することができる。
【先行技術文献】
【特許文献】
【０００５】
【特許文献１】特開２０１２−１１８７１２号公報
【特許文献２】特開２００４−０９４３４４号公報
【発明の概要】
【発明が解決しようとする課題】
【０００６】
他の競馬場で実施されるレースに投票した投票者は、自身が投票したレースの発走時刻を確認して、特観席に設置されているモニタのチャンネルを切り替えて、所望の競馬場のレースが表示されるようにする必要がある。
【０００７】
しかし、投票者は、現在いる競馬場のレースに夢中になり、モニタのチャンネルの切り替えを忘れてしまう恐れがある。また、投票者は、他の競馬場で実施されるレースの投票券を数多く購入している場合には、全ての発走時刻を把握できなくなり、モニタのチャンネルを観覧したかったレースに切り替えるのを忘れてしまう恐れがある。このように、投票者がモニタのチャンネルの切り替えを忘れてしまい、所望のレースを見逃してしまうという問題点があった。
【０００８】
本発明は、このような点に鑑みてなされたものであり、表示装置で表示される投票した競技場のレースの見逃しを防止することができる表示切替制御装置及び表示切替制御方法を提供することを目的とする。
【課題を解決するための手段】
【０００９】
上記課題を解決するために、公営競技に関して表示装置が表示する競技場で実施されるレースの映像を切り替える表示切替制御装置において、競技場ごとに実施されるレースに対して行われた投票に関する投票情報を投票券から読み取る読み取り部と、読み取った前記投票情報に基づき、投票した前記競技場ごとに実施されるレースに前記レースの発走時刻をそれぞれ対応させてスケジュールを生成するスケジュール生成部と、前記スケジュールを参照し、前記表示装置の表示を、現在時刻と一致する発走時刻に対応する前記競技場で実施される前記レースの映像に切り替えさせる表示切替実行部と、を有する表示切替制御装置が提供される。
【００１０】
また、上記課題を解決するために、上記の表示切替制御装置で行われる表示切替制御方法が提供される。
【発明の効果】
【００１１】
上記の表示切替制御装置及び表示切替制御方法では、表示装置の表示を、各競技場で実施される、投票したレースの映像に自動的に切り替えることができる。
【図面の簡単な説明】
【００１２】
【図１】第１の実施の形態に係る表示切替制御装置及び表示切替制御方法を示す図である。
【図２】第２の実施の形態に係る表示システムの一例を示す図である。
【図３】投票用紙の一例を示す図である。
【図４】投票券の一例を示す図である。
【図５】第２の実施の形態に係るホストコンピュータのハードウェア構成の一例を示す図である。
【図６】第２の実施の形態に係る表示切替制御装置のハードウェア構成の一例を示す図である。
【図７】第２の実施の形態に係る表示切替制御装置の機能の一例を示すブロック図である。
【図８】第２の実施の形態に係る表示切替制御装置が備える投票情報保持部が保持する情報の一例を示す図である。
【図９】第２の実施の形態に係る表示切替制御装置が備える発走時刻情報保持部及びチャンネル情報保持部がそれぞれ保持する情報の一例を示す図である。
【図１０】第２の実施の形態に係る表示切替制御装置が備えるスケジュール保持部が保持する情報の一例を示す図である。
【図１１】第２の実施の形態に係る表示切替制御装置で実行されるスケジュール生成処理を示すフローチャートである。
【図１２】第２の実施の形態に係る表示切替制御装置で実行される表示切替処理を示すフローチャートである。
【図１３】第２の実施の形態に係る表示切替制御装置で実行される録画再生処理を示すフローチャートである。
【図１４】第２の実施の形態に係る表示切替制御装置がモニタに表示させる確認画面の一例を示す図である。
【発明を実施するための形態】
【００１３】
以下、図面を参照して実施の形態について説明する。
［第１の実施の形態］
第１の実施の形態に係る表示切替制御装置及び表示切替制御方法について図１を用いて説明する。
【００１４】
図１は、第１の実施の形態に係る表示切替制御装置及び表示切替制御方法を示す図である。
なお、図１（Ａ）は、表示システム１を、図１（Ｂ）は、表示装置１０が表示する映像の切り替えをそれぞれ示している。
【００１５】
表示切替制御装置３０は、表示装置１０が表示する競技場で実施されるレースの映像を、自動的に、所望の競技場で実施されるレースの映像に切り替えさせるものである。
表示システム１は、図１に示すように、このような表示切替制御装置３０と共に、表示装置１０と、映像設備装置２０とを備える。
【００１６】
表示装置１０は、映像設備装置２０から送信される公営競技に関して競技場で実施されるレースの映像を表示する。
映像設備装置２０は、表示装置１０と接続されており、各競技場から配信されるレースの映像を表示装置１０に送信して、表示装置１０に当該レースの映像を表示させる。
【００１７】
表示切替制御装置３０は、スケジュール保持部３１と、読み取り部３２、レース情報取得部３３、スケジュール生成部３４、表示切替実行部３５を備える。
スケジュール保持部３１は、スケジュール生成部３４で生成されたスケジュール３１ａを保持する。スケジュール３１ａは、投票者が投票したレースに関して、少なくとも、当該レースが実施される競技場、当該レースのレース番号、当該レースの発走時刻、表示装置１０で当該レースが表示されるチャンネル（ＣＨ）に関する情報により構成されている。
【００１８】
読み取り部３２は、競技場ごとに実施されるレースに対して行われた投票に関する投票情報を投票券Ｃから読み取る。投票券Ｃには、投票情報が、例えば、バーコード、ＱＲ（Quick Response）コード（登録商標）等といった形態として記載されている。読み取り部３２には、各形態に対応したリーダが用いられる。
【００１９】
レース情報取得部３３は、例えば、公営競技において、各競技場における全レースの出走内容、発走時刻、競技結果等を管理するホストコンピュータ（図示を省略）と通信を実行して、読み取り部３２が読み取った投票情報のレースに対応する発走時刻を取得する。
【００２０】
スケジュール生成部３４は、読み取った投票情報に基づき、投票した競技場ごとに実施されるレースに、レース情報取得部３３が取得したレースの発走時刻をそれぞれ対応させてスケジュール３１ａを生成する。また、この際、スケジュール３１ａには、予め設定されている表示装置１０が当該競馬場で実施されるレースを表示するチャンネルも対応付けられる。このようにしてスケジュール生成部３４により生成されたスケジュール３１ａは、スケジュール保持部３１に保持される。
【００２１】
表示切替実行部３５は、スケジュール３１ａを参照し、表示装置１０の表示を、現在時刻と一致する発走時刻に対応する競技場で実施されるレースの映像に切り替えさせる。
なお、このようなスケジュール生成部３４と、表示切替実行部３５は、表示切替制御装置３０が備える図示しないＣＰＵ（Central Processing Unit：中央演算処理装置）によって表示切替制御プログラムが実行されることにより、その処理機能が実現されるようにすることも可能である。
【００２２】
このような表示切替制御装置３０による、表示装置１０の表示の表示切替制御方法について説明する。
投票者は、投票端末（図示を省略）を用いて、例えば、他の競技場「Ａ」で実施されるレース番号「４Ｒ」及び「６Ｒ」のレースに出走する出走対象に、所定の投票方法の種類により投票して投票券Ｃを購入する。さらに、投票者は、他の競技場「Ｂ」で実施されるレース番号「４Ｒ」のレースに出走する出走対象に、所定の投票方法の種類により投票して投票券Ｃを購入する。
【００２３】
少なくとも３枚の投票券Ｃを購入した投票者は、特観席に移動して、表示切替制御装置３０の読み取り部３２に各投票券Ｃの投票情報をそれぞれ読み取らせる。
読み取り部３２は、投票券Ｃから、例えば、競技場「Ａ」、レース番号「４Ｒ」を読み取り、レース情報取得部３３は、競技場「Ａ」のレース番号「４Ｒ」の発走時間をホストコンピュータに要求して、当該レースの発走時間である「１３：００」を、ホストコンピュータから取得する。
【００２４】
スケジュール生成部３４は、読み取り部３２が読み取った、競技場「Ａ」、レース番号「４Ｒ」に対して、レース情報取得部３３が取得した発走時間「１３：００」と共に、例えば、予め設定されている、表示装置１０で競技場「Ａ」のレースを表示するチャンネル「１」を対応付けてスケジュール３１ａを生成する。
【００２５】
投票者が投票券Ｃの投票情報を読み取り部３２に読み取らせるごとに、このようにしてスケジュール生成部３４によりスケジュール３１ａに投票券に関する情報が追加されていく。
【００２６】
このようにして、スケジュール３１ａが生成される。
次いで、特観席の投票者が、競技場「Ａ」で実施される「４Ｒ」レースを表示装置１０で観覧するために、表示装置１０のチャンネルを当該競技場「Ａ」が表示されるチャンネル「１」に合わせる。
【００２７】
表示装置１０は、競技場「Ａ」の映像を表示する。その後、「１３：００」になると、図１（Ｂ）の（１）に示すように、「４Ｒ」レースが始まり、投票者はその映像を観覧することができる。「４Ｒ」レースの終了後も、表示装置１０は、引き続き、競技場「Ａ」の映像を表示する。
【００２８】
その後、時間が経過して、「１３：２０」になると、表示切替実行部３５は、スケジュール３１ａを参照し、図１（Ｂ）の（２）に示すように、発走時刻が「１３：２０」に対応する競技場「Ｂ」の映像に表示装置１０の表示を切り替えさせる。表示装置１０は、競技場「Ｂ」で実施される「４Ｒ」レースを表示する。これにより、投票者は、表示装置１０のチャンネル操作を行わずに、投票した競技場「Ｂ」で実施される「４Ｒ」レースを観覧することができるようになる。「４Ｒ」レースの終了後も、表示装置１０は、引き続き、競技場「Ｂ」の映像を表示する。
【００２９】
さらに、時間が経過して、「１４：００」になると、表示切替実行部３５は、スケジュール３１ａを参照し、図１（Ｂ）の（３）に示すように、発走時刻が「１４：００」に対応する競技場「Ａ」の映像に表示装置１０の表示を切り替えさせる。表示装置１０は、競技場「Ａ」で実施される「６Ｒ」レースを表示する。これにより、投票者は、表示装置１０のチャンネル操作を行わずに、投票した競技場「Ａ」で実施される「６Ｒ」レースを観覧することができるようになる。
【００３０】
このように、公営競技に関して表示装置１０が表示する競技場で実施されるレースの映像を切り替える表示切替制御装置３０では、読み取り部３２が競技場ごとに実施されるレースに対して行われた投票に関する投票情報を投票券Ｃから読み取り、スケジュール生成部３４が読み取った投票情報に基づき、投票した競技場ごとに実施されるレースにレースの発走時刻をそれぞれ対応させてスケジュール３１ａを生成し、表示切替実行部３５がスケジュール３１ａを参照し、表示装置１０の表示を、現在時刻と一致した発走時刻に対応する競技場で実施されるレースの映像に切り替えさせるようにした。
【００３１】
このため、投票者が投票時に購入した投票券を表示切替制御装置３０に単に読み取らせるだけで、表示装置１０では投票者が投票したレースの映像に自動的に切り替えられるようになり、投票者は表示装置１０のチャンネルを変える操作を行う必要がなく、自身が投票したレースの見逃しを防止することができるようになる。
【００３２】
［第２の実施の形態］
第２の実施の形態では、第１の実施の形態を利用して競馬を例に挙げてより具体的に説明する。
【００３３】
まず、モニタに対して競馬場でのレースを表示させる表示システムについて図２を用いて説明する。
図２は、第２の実施の形態に係る表示システムの一例を示す図である。
【００３４】
表示システム１００は、モニタ１１０（表示装置）と、映像設備装置１２０、ホストコンピュータ１４０、録画装置１５０、表示切替制御装置２００を備える。
モニタ１１０は、特観席に設置されて、映像設備装置１２０から送信される競馬場で実施されるレースの映像を表示する。モニタ１１０は、各競馬場からの映像が対応付けられたチャンネルが変えられるごとに、各チャンネルに対応する競馬場の映像を表示する。
【００３５】
映像設備装置１２０は、モニタ１１０と接続されており、各競馬場から配信される競馬場で実施されるレースの映像をモニタ１１０に通知して、モニタ１１０に対して設定されたチャンネルに応じて競馬場で実施されるレースの映像をモニタ１１０に表示させる。
【００３６】
ホストコンピュータ１４０は、全競馬場で実施される全レースについて、例えば、出走馬、騎手、発走時刻、投票方法の種類、配当金、購入合計金額、レース結果等を管理している。
【００３７】
録画装置１５０は、モニタ１１０に接続されており、モニタ１１０が表示する映像を録画することができる。また、録画装置１５０は、録画した映像をモニタ１１０に表示させる（再生させる）ことができる。
【００３８】
表示切替制御装置２００は、モニタ１１０及び録画装置１５０と接続していると共に、ホストコンピュータ１４０とネットワーク１６０を介して通信可能に接続している。このような表示切替制御装置２００は、投票券Ｃの投票内容を読み取って、モニタ１１０が表示する映像を別の映像に切り替えることができると共に、モニタ１１０が表示する映像を録画装置１５０に録画させ、録画した映像をモニタ１１０に表示させることができる。なお、表示切替制御装置２００の詳細については後述する。
【００３９】
ここで、投票券Ｃの購入方法等について図３及び図４を用いて説明する。
図３は、投票用紙の一例を示す図、図４は、投票券の一例を示す図である。
投票者は投票を行う際には、図３に示す、投票用紙Ｃ１に対して、競馬場名、レース番号、式別（投票方法の種類）、対象番号（枠番号並びに馬番号）、購入金額等をマークして、マークした投票用紙Ｃ１を投票端末に購入金額と共に投入する。投票端末は、投入された投票用紙Ｃ１を読み込み、ホストコンピュータ１４０に投票用紙Ｃ１の内容を送信し、また、ホストコンピュータ１４０から投票を受け付けた旨の応答を受信する。そして、投票端末は、投票者が投票した投票内容と、当該投票内容から変換されたＱＲコードとを印字して、図４に示す、投票券Ｃを発券する。そして、投票者は投票券Ｃを購入できる。投票者は、競馬場ごとに実施されるレースに対しても、このようにして投票券Ｃを購入することができる。
【００４０】
次に、表示システム１００のホストコンピュータ１４０及び表示切替制御装置２００のハードウェア構成について説明する。
まず、ホストコンピュータ１４０について図５を用いて説明する。
【００４１】
図５は、第２の実施の形態に係るホストコンピュータのハードウェア構成の一例を示す図である。
ホストコンピュータ１４０は、図５に示されるように、少なくとも、ホストコンピュータ１４０全体を制御する制御ユニット１４１を備える。ホストコンピュータ１４０には、必要に応じて、ホストコンピュータ１４０の情報の表示のための表示ユニット１４２と、ホストコンピュータ１４０に情報を入力するための入力ユニット１４３とを備えさせることができる。
【００４２】
制御ユニット１４１は、ＣＰＵ１４１ａと、メモリ部１４１ｂ、通信処理部１４１ｃ、グラフィック処理部１４１ｄ、入出力インタフェース１４１ｅが互いにバス１４１ｆで接続されている。
【００４３】
ＣＰＵ１４１ａは、メモリ部１４１ｂの記憶媒体に記憶された各種プログラムを実行することにより、このホストコンピュータ１４０全体を統括的に制御する。
メモリ部１４１ｂは、例えば、ＲＡＭ（Random Access Memory）並びにＨＤＤ（Hard Disk Drive）であって、ＣＰＵ１４１ａに実行させるＯＳ（Operating System）、各種アプリケーション並びにプログラムの少なくとも一部が一時的に格納される。メモリ部１４１ｂには、ＣＰＵ１４１ａによる処理に必要な各種データが格納される。メモリ部１４１ｂには、全競馬場で実施される全レースについて、例えば、全競馬場で実施される全レースについて、例えば、出走馬、騎手、発走時刻、投票方法の種類、配当金、購入合計金額、レース結果等が格納され、適宜、更新される。また、ＣＰＵ１４１ａによる処理に必要なプログラムが起動されると、当該プログラムが読み込まれる。
【００４４】
通信処理部１４１ｃは、ネットワーク１６０を介して表示切替制御装置２００並びに投票端末（図示を省略）と相互に通信を行う。
グラフィック処理部１４１ｄには、表示を行うための表示ユニット１４２が接続されている。このグラフィック処理部１４１ｄは、ＣＰＵ１４１ａからの命令にしたがって、表示ユニット１４２の表示領域に画像を表示させる。
【００４５】
入出力インタフェース１４１ｅには、例えば、マウス、キーボード等の入力を行うための入力ユニット１４３が接続されている。入出力インタフェース１４１ｅは、入力ユニット１４３からの信号を、バス１４１ｆを介してＣＰＵ１４１ａに送信する。
【００４６】
次いで、表示切替制御装置２００について図６を用いて説明する。
図６は、第２の実施の形態に係る表示切替制御装置のハードウェア構成の一例を示す図である。
【００４７】
表示切替制御装置２００は、図６に示されるように、表示切替制御装置２００全体を制御する制御ユニット２１０と、投票券リーダユニット２２０、録画制御ユニット２３０、入力受付ユニット２４０、赤外線通信ユニット２５０を備える。
【００４８】
制御ユニット２１０は、ＣＰＵ２１０ａと、メモリ部２１０ｂ、入出力インタフェース２１０ｃ、ホスト通信処理部２１０ｄ、赤外線通信処理部２１０ｅが互いにバス２１０ｆで接続されている。
【００４９】
ＣＰＵ２１０ａは、上記のＣＰＵ１４１ａと同様に、メモリ部２１０ｂの記憶媒体に記憶された各種プログラムを実行することにより、この表示切替制御装置２００全体を統括的に制御する。
【００５０】
メモリ部２１０ｂは、上記のメモリ部１４１ｂと同様に、ＲＡＭ並びにＨＤＤであって、ＣＰＵ２１０ａに実行させるＯＳ、各種アプリケーション並びにプログラムの少なくとも一部が一時的に格納される。メモリ部２１０ｂには、ＣＰＵ２１０ａによる処理に必要な各種データが格納される。メモリ部２１０ｂには、読み取った投票券Ｃの投票内容並びにホストコンピュータ１４０から取得した発走時刻等から構成されるスケジュールが格納される。また、ＣＰＵ２１０ａによる処理に必要なプログラムが起動されると、当該プログラムが読み込まれる。
【００５１】
入出力インタフェース２１０ｃには、投票券リーダユニット２２０、録画制御ユニット２３０、入力受付ユニット２４０が接続されている。入出力インタフェース２１０ｃは、ＣＰＵ２１０ａからの信号に基づき、投票券リーダユニット２２０と、録画制御ユニット２３０、入力受付ユニット２４０に対して信号の送受信を行うことと共に、動作を制御する。
【００５２】
ホスト通信処理部２１０ｄは、ネットワーク１６０を介してホストコンピュータ１４０と相互に通信を行う。
赤外線通信処理部２１０ｅは、赤外線通信ユニット２５０と接続されており、ＣＰＵ２１０ａからの信号に基づき、赤外線通信ユニット２５０に赤外線通信を実行させる。
【００５３】
また、投票券リーダユニット２２０は、入出力インタフェース２１０ｃに接続されており、例えば、投票者によりかざされた投票券ＣのＱＲコードを読み取る、ＱＲコードリーダを適用することができる。
【００５４】
録画制御ユニット２３０は、入出力インタフェース２１０ｃに接続されると共に、録画装置１５０（図６では図示を省略）に接続されている。録画制御ユニット２３０は、ＣＰＵ２１０ａからの信号に基づき、録画装置１５０に競馬場のレースを録画させ、録画装置１５０から録画した映像をモニタ１１０に再生させることができる。
【００５５】
入力受付ユニット２４０は、入出力インタフェース２１０ｃに接続されると共に、例えば、モニタ１１０にタッチパネルとして設置され、または、後述するモニタ１１０での表示内容に基づき投票者からの操作入力を受け付けるためのものである。入力受付ユニット２４０は、投票者から受け付けた操作入力に基づく信号を、入出力インタフェース２１０ｃを介してＣＰＵ２１０ａに通知する。
【００５６】
赤外線通信ユニット２５０は、赤外線通信処理部２１０ｅと接続されており、ＣＰＵ２１０ａからの信号に基づき、モニタ１１０に対して、表示切替要求に加えて、確認画面と共に確認画面の表示要求を送信する。
【００５７】
次に、このような構成を有する表示切替制御装置２００が備える機能を表す機能ブロック図について図７を用いて説明する。
図７は、第２の実施の形態に係る表示切替制御装置の機能の一例を示すブロック図である。
【００５８】
表示切替制御装置２００の制御ユニット２１０は、メモリ部２１０ｂ（図６参照）に、投票情報保持部２１１と、発走時刻情報保持部２１２、チャンネル情報保持部２１３、スケジュール保持部２１４が割り当てられる。
【００５９】
ここで、投票情報保持部２１１と、発走時刻情報保持部２１２、チャンネル情報保持部２１３、スケジュール保持部２１４に保持される具体的な情報の一例について図８〜図１０を用いて説明する。
【００６０】
図８は、第２の実施の形態に係る表示切替制御装置が備える投票情報保持部が保持する情報の一例を示す図である。
図９は、第２の実施の形態に係る表示切替制御装置が備える発走時刻情報保持部及びチャンネル情報保持部がそれぞれ保持する情報の一例を示す図である。
【００６１】
また、図１０は、第２の実施の形態に係る表示切替制御装置が備えるスケジュール保持部が保持する情報の一例を示す図である。
投票情報保持部２１１は、図８に示すように、投票者が投票した投票内容に関する投票情報を保持する。投票内容は、例えば、少なくとも、投票者が投票したレースが実施される競馬場の場名と、投票したレース番号、当該レースに対して投票した投票方法の種類（金額含む）、当該投票方法の種類に基づく最大配当金、購入金額の合計である購入金合計である。
【００６２】
発走時刻情報保持部２１２は、図９（Ａ）に示すように、各競馬場におけるレース番号ごとの発走時刻に関する情報を保持する。
チャンネル情報保持部２１３は、図９（Ｂ）に示すように、モニタ１１０における各競馬場の映像を表示するチャンネルに関する情報を保持する。なお、このような情報はモニタ１１０に応じて予め設定されているものであり、一例として、図９（Ｂ）では、Ｂ競馬場と、Ｃ競馬場、Ｅ競馬場を表示するモニタ１１０のチャンネルとして、「４」、「６」、「８」がそれぞれ対応付けられている。また、図９（Ｂ）では、録画したレースをモニタ１１０が表示するためのチャンネルとして「１２」が対応付けられている。
【００６３】
スケジュール保持部２１４は、図１０に示すように、後述するスケジュール生成部２１７で生成された、投票者が投票したレースごとのスケジュールに関する情報を保持する。このようなスケジュールには、例えば、投票者が投票したレースが実施される競馬場の場名、当該投票したレースのレース番号、当該レースの発走時刻、当該レースが実施される当該場名の競馬場をモニタ１１０が表示するチャンネル、当該チャンネルに切り替えを行う時刻を表すチャンネル切替時刻が含まれる。さらに、当該スケジュールには、投票した当該レースが実施される競馬場の映像を表示することを示す出力フラグ、投票した当該レースが実施される競馬場の映像を録画することを示す録画フラグが設定される。さらに、録画フラグが設定されたスケジュールでは、録画したレースの映像を再生する時刻を表す再生時刻、モニタ１１０における録画したレースを表示するチャンネルに切り替える時刻を表す再生チャンネル切替時刻が含まれる。
【００６４】
制御ユニット２１０が備えるメモリ部２１０ｂに割り当てられる投票情報保持部２１１と、発走時刻情報保持部２１２、チャンネル情報保持部２１３、スケジュール保持部２１４にはこのような情報が格納される。
【００６５】
さらに、当該制御ユニット２１０は、図７に示すように、ＣＰＵ２１０ａにより、読み取り制御部２１５と、レース情報取得部２１６、スケジュール生成部２１７、時刻計測部２１８、表示切替実行部２１９の機能が実現される。
【００６６】
読み取り制御部２１５は、投票券リーダユニット２２０が読み取った投票券Ｃの投票情報を、入出力インタフェース２１０ｃを介して取得して、投票情報保持部２１１に保持させる。この際、読み取り制御部２１５は、投票情報を、後述するレース情報取得部２１６から通知された投票情報に対応する最大配当金と共に投票情報保持部２１１に保持させる。
【００６７】
レース情報取得部２１６は、ホスト通信処理部２１０ｄを介して、ホストコンピュータ１４０（図２参照）と通信を行うことができる。レース情報取得部２１６は、読み取り制御部２１５が読み取った投票情報に基づき最大配当金の情報の取得要求をホストコンピュータ１４０に送信する。また、レース情報取得部２１６は、要求したこの情報をホストコンピュータ１４０から取得して、最大配当金の情報を読み取り制御部２１５に通知する。
【００６８】
また、レース情報取得部２１６は、事前に、このようにして各競馬場のレースの発走時刻に関する情報の取得要求をホストコンピュータ１４０から取得して、発走時刻情報保持部２１２に格納しておくことができる。
【００６９】
スケジュール生成部２１７は、投票情報保持部２１１と、発走時刻情報保持部２１２、チャンネル情報保持部２１３を参照して、レースごとに、スケジュールを生成し、生成したスケジュールをスケジュール保持部２１４に保持させる。
【００７０】
なお、読み取り制御部２１５と、レース情報取得部２１６、スケジュール生成部２１７の処理の詳細は、後述する図１１のスケジュール生成処理のフローチャートを用いて説明する。
【００７１】
時刻計測部２１８は、現在の時刻をカウントする。
表示切替実行部２１９は、時刻計測部２１８がカウントする現在時刻に基づき、スケジュール保持部２１４が保持する各スケジュールを参照して、モニタ１１０（図２参照）が表示する映像を切り替えさせることができる。表示切替実行部２１９は、例えば、赤外線通信処理部２１０ｅを介して赤外線通信ユニット２５０からモニタ１１０に対して表示切替信号を送信させて、モニタ１１０の表示映像の切り替えを実行させる。
【００７２】
なお、表示切替実行部２１９の処理の詳細については、後述する図１２及び図１３のフローチャートを用いて説明する。
このような構成を有する表示切替制御装置２００におけるモニタ１１０の表示切替を行うための処理について説明する。
【００７３】
まず、表示切替制御装置で実行されるスケジュール生成処理について、図１１を用いて説明する。
図１１は、第２の実施の形態に係る表示切替制御装置で実行されるスケジュール生成処理を示すフローチャートである。
【００７４】
なお、各競馬場で実施されるレースの発走時刻に関する情報と、モニタ１１０で各競馬場のレース映像を表示するチャンネルに関する情報とは、予め、発走時刻情報保持部２１２及びチャンネル情報保持部２１３（図９参照）に格納しておく。
【００７５】
投票者が投票券ＣのＱＲコードを表示切替制御装置２００の投票券リーダユニット２２０にかざすごとに、表示切替制御装置２００は以下の処理を実行してスケジュールを生成する。
【００７６】
［ステップＳ１０１］  読み取り制御部２１５は、入出力インタフェース２１０ｃを介して、投票券リーダユニット２２０が読み取った投票券ＣのＱＲコードの情報を取得する。読み取り制御部２１５は、読み取ったＱＲコードを変換して、投票情報（場名、レース番号、投票方法の種類（金額含む）、購入金合計）を取得する。
【００７７】
例えば、読み取り制御部２１５は、このようにして投票券Ｃの投票情報である場名の「Ｂ」、レース番号の「２Ｒ」、投票方法の種類（金額含む）の「単勝・１番・１００円」、購入金合計の「１００円」に関する情報を取得する。
【００７８】
［ステップＳ１０２］  読み取り制御部２１５は、変換した投票情報の場名及びレース番号に基づき、購入時における当該レースの最大配当金に関するレース情報の取得要求をレース情報取得部２１６に通知する。
【００７９】
レース情報取得部２１６は、当該取得要求をホスト通信処理部２１０ｄからホストコンピュータ１４０に通知する。レース情報取得部２１６は、ホスト通信処理部２１０ｄを介して、ホストコンピュータ１４０から当該レースの最大配当金のレース情報を取得して、読み取り制御部２１５に通知する。
【００８０】
読み取り制御部２１５は、このようにしてレース情報取得部２１６から配当金情報を取得する。
例えば、レース情報取得部２１６は、読み取り制御部２１５から「Ｂ」競馬場で実施される「２Ｒ」レースの最大配当金の取得要求をホストコンピュータ１４０に通知する。レース情報取得部２１６は、ホストコンピュータ１４０から、「Ｂ」競馬場で実施される「２Ｒ」レースの最大配当金として「１５０円」（図８参照）を取得して、読み取り制御部２１５に通知して、読み取り制御部２１５は、最大配当金の情報（「１５０円」）を取得する。
【００８１】
［ステップＳ１０３］  読み取り制御部２１５は、ステップＳ１０１で取得した投票情報に、レース情報取得部２１６から取得した最大配当金を追加し、最大配当金が加えられた投票情報を投票情報保持部２１１に格納する。
【００８２】
例えば、読み取り制御部２１５は、投票券Ｃの投票情報の場名の「Ｂ」、レース番号の「２Ｒ」、投票方法の種類（金額含む）の「単勝・１番・１００円」、購入金合計の「１００円」に、取得した最大配当金「１５０円」を追加して、投票情報保持部２１１に格納する。これにより、図８の番号「１」に示すような投票情報が格納される。
【００８３】
［ステップＳ１０４］  スケジュール生成部２１７は、投票情報保持部２１１が保持する投票情報から場名及びレース番号に、発走時刻情報保持部２１２が保持する当該レースに対応する発走時刻を対応付ける。
【００８４】
スケジュール生成部２１７は、このような場名と、レース番号、発走時刻に、チャンネル情報保持部２１３が保持する当該レースが実施される競馬場を放映するモニタ１１０のチャンネルを対応付けてスケジュールを生成し、スケジュール保持部２１４に格納させる。
【００８５】
さらに、スケジュール生成部２１７は、このようなスケジュールに対して、発走時刻に基づき、チャンネルを切り替える時刻を表すチャンネル切替時刻を設定する。チャンネル切替時刻は、モニタ１１０では発走時刻前に当該レースを表示するチャンネルに替えられている必要があるために、発走時刻から、例えば、１分早めた時刻として設定される。
【００８６】
［ステップＳ１０５］  スケジュール生成部２１７は、ステップＳ１０４で生成されたスケジュールにおいて、発走時刻の重複の有無を判別する。なお、発走時刻の重複の判別は、一方の発走時刻の、例えば、±９分以内に、他方の発走時刻が含まれる場合には重複としているものとみなす。具体例として、一方の発走時刻が「１０：１０」である場合に、他方の発走時刻が「１０：０１」〜「１０：１９」に含まれれば、重複しているものとみなす。重複している時間の幅は１レースの時間に応じて任意に設定することができる。
【００８７】
当該判別結果において、スケジュールにおいて発走時刻が重複する場合には、スケジュール生成部２１７は、ステップＳ１０６の処理を実行する。一方、発走時刻の重複が無い場合には、スケジュール生成部２１７は、ステップＳ１１１の処理を実行する。
【００８８】
例えば、予め、「Ｂ」競馬場の「４Ｒ」レースを含むスケジュールが先に生成されており、ステップＳ１０４で生成されたスケジュールが「Ｅ」競馬場の「４Ｒ」レースを含む場合には、「Ｅ」競馬場の「４Ｒ」レースと、「Ｂ」競馬場の「４Ｒ」レースとは発走時刻が「１１：４０」で重複していると判別される。
【００８９】
［ステップＳ１０６］  スケジュール生成部２１７は、投票情報保持部２１１を参照して、発走時刻が重複するスケジュールにおけるレースの最大配当金を比較する。
上記の場合では、「Ｅ」競馬場の「４Ｒ」レースの最大配当金「２８０００円」と、「Ｂ」競馬場の「４Ｒ」レースの最大配当金「１８４０円」とが比較される。
【００９０】
［ステップＳ１０７］  スケジュール生成部２１７は、発走時刻が重複するスケジュールにおけるレースの最大配当金が等しくない場合には、ステップＳ１０８の処理を実行する。一方、当該最大配当金が等しい場合には、スケジュール生成部２１７は、ステップＳ１１０の処理を実行する。
【００９１】
例えば、「Ｅ」競馬場の「４Ｒ」レース（最大配当金「２８０００円」）と、「Ｂ」競馬場の「４Ｒ」レース（最大配当金「１８４０円」）とは、最大配当金が等しくないために、スケジュール生成部２１７は、ステップＳ１０８の処理を実行する。
【００９２】
［ステップＳ１０８］  スケジュール生成部２１７は、発走時刻が重複するスケジュールのうち、レースの最大配当金が小さい方に録画フラグをセットする。
また、スケジュール生成部２１７は、録画フラグをセットして、後に録画されたレースの再生時刻として、当該レースの発走時刻に、例えば、１０分を追加したものをセットする。さらに、スケジュール生成部２１７は、モニタ１１０の録画したレースを表示するチャンネルに切り替える再生チャンネル切替時刻として、当該再生時刻から、例えば、１分を引いたものをセットする。
【００９３】
例えば、「Ｂ」競馬場の「４Ｒ」レースに対して、録画フラグがセットされて、発走時刻「１１：４０」から、再生時刻「１１：５０」、そして、再生時刻「１１：５０」から、再生チャンネル切替時刻「１１：４９」がそれぞれセットされる。
【００９４】
［ステップＳ１０９］  スケジュール生成部２１７は、発走時刻が重複するスケジュールのうち、レースの最大配当金が大きい方に出力フラグをセットする。
例えば、「Ｅ」競馬場の「４Ｒ」レースに対しては、出力フラグがセットされる。
【００９５】
なお、ステップＳ１０８，Ｓ１０９の処理は逆の順序で行っても構わない。
［ステップＳ１１０］  スケジュール生成部２１７は、ステップＳ１０４で生成したスケジュールの対象となるレースに対して最大配当金の比較が行われた被比較レースに対して録画フラグをセットすると共に、ステップＳ１０８と同様に、再生時刻及び再生チャンネル切替時刻をセットする。
【００９６】
上記の場合において、仮に、「Ｅ」競馬場の「４Ｒ」レースの最大配当金と、「Ｂ」競馬場の「４Ｒ」レースの最大配当金とが等しい場合には、被比較レースである「Ｂ」競馬場の「４Ｒ」レースに録画フラグ等をセットする。
【００９７】
［ステップＳ１１１］  スケジュール生成部２１７は、ステップＳ１０４で生成したスケジュールの対象となるレースに対して出力フラグをセットする。
上記の場合において、仮に、「Ｅ」競馬場の「４Ｒ」レースの最大配当金と、「Ｂ」競馬場の「４Ｒ」レースの最大配当金とが等しい場合には、ステップＳ１０４で対象となったレースである「Ｅ」競馬場の「４Ｒ」レースに出力フラグをセットする。
【００９８】
以上のスケジュール生成処理に基づき、投票券Ｃごとにレースに関するスケジュールが生成されてスケジュール保持部２１４に格納される。また、スケジュール保持部２１４に格納されるスケジュールは、レースの発走時刻ごとに配列される。
【００９９】
なお、ステップＳ１１０では、あくまで便宜的に、被比較レースに録画フラグをセットするようにしており、被比較レースに出力フラグをセットするようにしても構わない。
このようにして投票者が、購入した全ての投票券Ｃを読み込ませた表示切替制御装置２００によるモニタ１１０に対する表示切替処理について図１２を用いて説明する。
【０１００】
図１２は、第２の実施の形態に係る表示切替制御装置で実行される表示切替処理を示すフローチャートである。
表示切替制御装置２００において制御ユニット２１０の表示切替実行部２１９は、時刻計測部２１８がカウントする現在時刻と監視しつつ、スケジュール保持部２１４が保持するスケジュールを参照して、以下の処理を実行する。
【０１０１】
［ステップＳ２０１］  表示切替実行部２１９は、スケジュール保持部２１４にスケジュールが保持されているか否かを判別する。
スケジュール保持部２１４にスケジュールが格納されている場合には、表示切替実行部２１９は、ステップＳ２０２の処理を実行する。一方、スケジュールが格納されていない場合には、表示切替実行部２１９は表示切替処理を終了させる。
【０１０２】
［ステップＳ２０２］  表示切替実行部２１９は、時刻計測部２１８が計測する現在時刻を監視して、現在時刻が、スケジュール保持部２１４に格納されているスケジュールのレースのチャンネル切替時刻または再生チャンネル切替時刻に一致すると、ステップＳ２０３の処理を実行する。
【０１０３】
例えば、現在時刻が、スケジュール保持部２１４において「１０：３９（スケジュール番号「２」のチャンネル切替時刻）」に一致すると、表示切替実行部２１９は、ステップＳ２０３の処理を実行する。
【０１０４】
別の例として、現在時刻が、スケジュール保持部２１４において「１１：４９（スケジュール番号「４」の再生チャンネル切替時刻）」に一致すると、表示切替実行部２１９は、ステップＳ２０３の処理を実行する。
【０１０５】
［ステップＳ２０３］  表示切替実行部２１９は、ステップＳ２０２で現在時刻に一致したチャンネル切替時刻または再生チャンネル切替時刻に対応する、スケジュール保持部２１４に格納されているスケジュールに出力フラグがセットされているか否かを判別する。
【０１０６】
スケジュール保持部２１４に格納されているスケジュールに出力フラグがセットされている場合には、表示切替実行部２１９は、ステップＳ２０４の処理を実行する。一方、出力フラグがセットされていない場合には、表示切替実行部２１９は、ステップＳ２０６の処理を実行する。
【０１０７】
例えば、スケジュール番号「２」の場合には、出力フラグがセットされているために、表示切替実行部２１９は、ステップＳ２０４の処理を実行する。
別の例として、スケジュール番号「４」の場合には、出力フラグがセットされていないために、表示切替実行部２１９は、ステップＳ２０６の処理を実行する。
【０１０８】
［ステップＳ２０４］  表示切替実行部２１９は、赤外線通信処理部２１０ｅを介して赤外線通信ユニット２５０から、モニタ１１０に、ステップＳ２０２で現在時刻に一致したチャンネル切替時刻または再生チャンネル切替時刻に対応する、スケジュール保持部２１４に格納されているスケジュールのレースが実施される競馬場の映像を表示するチャンネルへの切り替え要求を通知させる。
【０１０９】
これにより、モニタ１１０は所定の発走時刻のレースが実施される競馬場の映像に表示を切り替える。
例えば、スケジュール番号「２」の場合には、「Ｂ」競馬場のレースの映像を表示するチャンネルである「４」への切り替え要求がモニタ１１０に通知される。
【０１１０】
モニタ１１０は、このように通知された切り替え要求に基づき、チャンネル「４」に切り替えて「Ｂ」競馬場の映像を表示する。
［ステップＳ２０５］  表示切替実行部２１９は、ステップＳ２０２で現在時刻に一致したチャンネル切替時刻または再生チャンネル切替時刻に対応するスケジュールを、スケジュール保持部２１４から削除する。
【０１１１】
上記の例では、表示切替実行部２１９は、モニタ１１０の表示の切り替えをした「Ｂ」競馬場の「２Ｒ」レースに関するスケジュール番号「２」をスケジュール保持部２１４から削除する。
【０１１２】
この後、表示切替実行部２１９は、再び、ステップＳ２０１の処理を行う。
［ステップＳ２０６］  表示切替実行部２１９は、ステップＳ２０２で現在時刻に一致したチャンネル切替時刻または再生チャンネル切替時刻に対応する、スケジュール保持部２１４に格納されているスケジュールに録画フラグがセットされているか否かを判別する。
【０１１３】
スケジュール保持部２１４に格納されているスケジュールに録画フラグがセットされている場合には、表示切替実行部２１９は、ステップＳ２０７の処理を実行する。一方、スケジュール保持部２１４に格納されているスケジュールに録画フラグがセットされていない場合には、表示切替実行部２１９は、ステップＳ２０９の処理を実行する。
【０１１４】
例えば、ステップＳ２０２で現在時刻に一致したチャンネル切替時刻または再生チャンネル切替時刻に対応したのが、スケジュール番号「４」の場合には、録画フラグがセットされているために、表示切替実行部２１９は、ステップＳ２０７の処理を実行する。
【０１１５】
別の例として、スケジュール番号「４」において、録画フラグが削除されていれば、表示切替実行部２１９は、ステップＳ２０９の処理を実行する。
［ステップＳ２０７］  表示切替実行部２１９は、入出力インタフェース２１０ｃを介して、録画フラグがセットされているスケジュールの競馬場で実施されるレースの録画実行要求を録画制御ユニット２３０に通知する。録画制御ユニット２３０は、このような要求に基づき録画装置１５０に録画させる。
【０１１６】
上記のスケジュール番号「４」の場合には、表示切替実行部２１９は、レース番号「４Ｒ」が実施される「Ｂ」競馬場のレースの映像の録画実行要求を録画制御ユニット２３０に通知する。録画装置１５０は、録画制御ユニット２３０からの録画実行要求に基づきＢ競馬場で実施されるの「４Ｒ」レースの映像を録画する。
【０１１７】
［ステップＳ２０８］  表示切替実行部２１９は、ステップＳ２０７で録画実行要求を行ったスケジュールから録画フラグを削除する。
上記のスケジュール番号「４」の場合には、表示切替実行部２１９は、録画実行要求を行った「Ｂ」競馬場の「４Ｒ」レースに関するスケジュール番号「４」の録画フラグをスケジュール保持部２１４から削除する。
【０１１８】
この後、表示切替実行部２１９は、再び、ステップＳ２０１の処理を行う。
［ステップＳ２０９］  表示切替実行部２１９は、赤外線通信処理部２１０ｅを介して赤外線通信ユニット２５０から、モニタ１１０に、モニタ１１０が録画したレース映像を表示するチャンネルへの切り替え要求を通知させる。
【０１１９】
これにより、モニタ１１０は、録画装置１５０が録画したレースを表示するチャンネル「１２」に切り替える。
［ステップＳ２１０］  表示切替実行部２１９は、時刻計測部２１８が計測する現在時刻を監視して、現在時刻が、ステップＳ２０８で録画フラグが削除されたスケジュール保持部２１４に格納されているスケジュールの録画済みのレースの再生時刻になると、ステップＳ２１１の処理を実行する。それ以外の時刻では、再び、ステップＳ２０１の処理を実行する。
【０１２０】
例えば、ステップＳ２０８で録画フラグが削除されたスケジュール番号「４」の場合には、表示切替実行部２１９は、現在時刻が「１１：５０」になると、表示切替実行部２１９がステップＳ２１１の処理を実行する。
【０１２１】
［ステップＳ２１１］  表示切替実行部２１９は、入出力インタフェース２１０ｃを介して、録画したレースの再生実行要求を録画制御ユニット２３０に通知する。録画制御ユニット２３０は通知された再生実行要求に基づき、録画装置１５０に録画したレースを再生させる。なお、ステップＳ２１１の録画再生処理の詳細については後述する。
【０１２２】
この後、表示切替実行部２１９は、再び、ステップＳ２０１の処理を行う。
次に、ステップＳ２１１で実行される録画再生処理について図１３を用いて説明する。
図１３は、第２の実施の形態に係る表示切替制御装置で実行される録画再生処理を示すフローチャートである。
【０１２３】
また、図１４は、第２の実施の形態に係る表示切替制御装置がモニタに表示させる確認画面の一例を示す図である。
［ステップＳ２１１ａ］  表示切替実行部２１９は、ステップＳ２１０で現在時刻が一致した再生時刻で再生される録画したレースの再生中に、他の競技場で実施されるレースの発走時刻の重複を判別する。
【０１２４】
なお、発走時刻の重複の判別は、再生時刻から、例えば、９分以内に、他の競技場で実施されるレースの発走時刻が含まれる場合には重複としているものとみなす。具体例として、再生時刻が「１１：５０」である場合に、他の競技場で実施されるレースの発走時刻が「１１：５０」〜「１１：５９」に含まれれば、重複しているものとみなす。重複している時間の幅は、ステップＳ１０５と同様に、１レースの時間に応じて任意に設定することができる。
【０１２５】
表示切替実行部２１９は、再生中に他の競技場で実施されるレースの発走時刻の重複が無い場合には、ステップＳ２１１ｂの処理を実行する。一方、再生中に別のレースの発走時刻の重複がある場合には、表示切替実行部２１９は、ステップＳ２１１ｄの処理を実行する。
【０１２６】
［ステップＳ２１１ｂ］  表示切替実行部２１９は、入出力インタフェース２１０ｃを介して、録画したレースの再生実行要求を録画制御ユニット２３０に通知する。録画制御ユニット２３０は通知された再生実行要求に基づき、録画装置１５０に録画したレースを再生させる。
【０１２７】
［ステップＳ２１１ｃ］  表示切替実行部２１９は、ステップＳ２１１ｂで再生したレースに対応するスケジュールをスケジュール保持部２１４から削除する。
［ステップＳ２１１ｄ］  表示切替実行部２１９は、録画したレースの再生中に、他の競技場で実施されるレースの発走時刻が含まれるために、例えば、図１４に示すように、そのまま再生を行う（他のスケジュールのレースは録画）か、または、他のスケジュールのレースを表示するかの確認画面を出力する。
【０１２８】
なお、図１４では、モニタ１１０に対して入力受付ユニット２４０としてタッチパネルが設置された場合を表示しており、モニタ１１０の表示領域に対して、ボタン２４０ａ，２４０ｂが設けられている。当該ボタン２４０ａ，２４０ｂに対するタッチ操作を入力受付ユニット２４０が受け付けて、受け付けた信号を入出力インタフェース２１０ｃを介して表示切替実行部２１９に通知される。
【０１２９】
［ステップＳ２１１ｅ］  表示切替実行部２１９は、ステップＳ２１１ｄで表示した確認画面に対して投票者によって指定された指定内容を入力受付ユニット２４０が受け付けて、受け付けた指定内容を入出力インタフェース２１０ｃを介して取得する。
【０１３０】
表示切替実行部２１９は、投票者によって録画したレースを再生するように指定された（図１４のボタン２４０ａに対するタッチを受け付けた）場合には、ステップＳ２１１ｆの処理を実行する。一方、投票者によって他の競技場で実施されるレース（再生時刻に発走時刻が重複したレース）を表示するように指定された（図１４のボタン２４０ｂに対するタッチを受け付けた）場合には、ステップＳ２１１ｊの処理を実行する。
【０１３１】
［ステップＳ２１１ｆ］  表示切替実行部２１９は、入出力インタフェース２１０ｃを介して、ステップＳ２１１ａで再生時刻後の再生中に発走時刻が重複する競馬場で実施されるレースの録画実行要求を、録画制御ユニット２３０に通知する。
【０１３２】
録画制御ユニット２３０は、このような録画要求に基づき、録画装置１５０に再生中に発走時刻が重複するレースを録画させる。
［ステップＳ２１１ｇ］  表示切替実行部２１９は、スケジュール保持部２１４が保持するスケジュールの時間に関する情報を参照して、ステップＳ２１１ｆで録画したレースの再生時刻を、例えば、直近の空いた時間にセットする。
【０１３３】
［ステップＳ２１１ｈ］  表示切替実行部２１９は、入出力インタフェース２１０ｃを介して、ステップＳ２１１ｅで判別した録画したレースの再生実行要求を録画制御ユニット２３０に通知する。録画制御ユニット２３０は通知された再生実行要求に基づき、録画装置１５０に録画したレースを再生させる。
【０１３４】
［ステップＳ２１１ｉ］  表示切替実行部２１９は、ステップＳ２１１ｈで再生したレースに対応するスケジュールをスケジュール保持部２１４から削除する。
［ステップＳ２１１ｊ］  表示切替実行部２１９は、スケジュール保持部２１４が保持するスケジュールの時間に関する情報を参照して、ステップＳ２１１ｅで判別した録画したレースの再生時刻を、直近で空いている時刻に再セットする。
【０１３５】
［ステップＳ２１１ｋ，Ｓ２１１ｌ］  図１２のステップＳ２０４，Ｓ２０５と同様の処理を行って、出力フラグがセットされたスケジュールに対応するレース番号が実施される競馬場の映像に切り替えて、当該スケジュールをスケジュール保持部２１４から削除する。
【０１３６】
このように、競馬におけるモニタ１１０が表示する競馬場で実施されるレースの映像を切り替える表示切替制御装置２００では、読み取り制御部２１５が競馬場ごとに実施されるレースに対して行われた投票に関する投票情報を投票券Ｃから読み取り、スケジュール生成部２１７が読み取った投票情報に基づき、投票した競馬場ごとに実施されるレースにレースの発走時刻をそれぞれ対応させてスケジュールを生成し、表示切替実行部２１９がスケジュールを参照し、モニタ１１０の表示を、現在時刻と一致した発走時刻に対応する競馬場で実施されるレースの映像に切り替えさせるようにした。
【０１３７】
このため、投票者が投票時に購入した投票券を表示切替制御装置２００に単に読み取らせるだけで、モニタ１１０では投票者が投票したレースの映像に自動的に切り替えられるようになり、投票者はモニタ１１０のチャンネルを変える操作を行う必要がなく、自身が投票したレースの見逃しを防止することができるようになる。
【０１３８】
また、発走時刻が重複するレースについては、当該レースの最大配当金の大きい方のレースに対しては出力フラグをセットし優先的に表示するようにした。一方、最大配当金の小さい方のレースに対しては録画フラグをセットして、最大配当金の大きい方のレースを表示した後に、録画したレースを表示するようにした。さらに、録画したレースを表示する際に、別のレースの表示と重複する際には、当該録画したレースを表示して、別のレースを録画して後から再生するようにし、または、別のレースを表示して、録画したレースの再生時刻を変更するようにした。これにより、配当金に関心がある投票者の興味を維持しながら、投票者が投票したレースの表示を行うことができ、投票者に対する利便性を向上させることができるようになる。
【０１３９】
なお上記の実施の形態では、ＣＰＵ１４１ａがプログラムを実行することによって実現するものとしたが、プログラムで記述された処理の一部を、電子回路に置き換えることが可能である。例えば、上記の処理機能の少なくとも一部を、ＤＳＰ（Digital Signal Processor）、ＡＳＩＣ（Application Specific Integrated Circuit）、ＰＬＤ（Programmable Logic Device）などの電子回路で実現してもよい。
【符号の説明】
【０１４０】
１  表示システム
１０  表示装置
２０  映像設備装置
３０  表示切替制御装置
３１  スケジュール保持部
３１ａ  スケジュール
３２  読み取り部
３３  レース情報取得部
３４  スケジュール生成部
３５  表示切替実行部
Ｃ  投票券
【図１】
2014092812.tif 000003
【図２】
2014092812.tif 000004
【図３】
2014092812.tif 000005
【図４】
2014092812.tif 000006
【図５】
2014092812.tif 000007
【図６】
2014092812.tif 000008
【図７】
2014092812.tif 000009
【図８】
2014092812.tif 000010
【図９】
2014092812.tif 000011
【図１０】
2014092812.tif 000012
【図１１】
2014092812.tif 000013
【図１２】
2014092812.tif 000014
【図１３】
2014092812.tif 000015
【図１４】
2014092812.tif 000016